(57)【要約】【課題】簡単な方法によって改善されたデ・インターレーシングを可能にする方法を提供する。【解決手段】本発明は、向上した映像品質のストレージ媒体からのビデオデータの再生に関する。この目的として、インターレースされたビデオデータは、デ・インターレーシング処理を受ける。本発明は、異なるデ・インターレーシングアルゴリズム間で適切にスイッチングするための画像コンテンツ分析を回避するために、再生装置の現在動作中の動作機能をモニターし、それに応じて、適用されるデ・インターレースアルゴリズムを選択する。増加された映像品質を有するインターレースされたビデオデータのビデオ再生は、それに応じて単純なおよび効率的な態様で達成される。【選択図】図５
2006166431.tif 000002
【特許請求の範囲】
【請求項１】
インターレースされたビデオシーケンスのフィールドをストレージ媒体から再生する方法であって、該再生が、ユーザー動作中の再生機能にしたがって制御され、該方法が、少なくとも２つの異なるデ・インターレーシングアルゴリズムを適用し、
現在動作中の再生機能にしたがって、デ・インターレーシングアルゴリズムを選択するステップを特徴とする、方法。
【請求項２】
前記デ・インターレーシングアルゴリズムが、２つの連続したフィールドを結合するＷＥＡＶＥアルゴリズムを含む、請求項１に記載の方法。
【請求項３】
前記デ・インターレーシングアルゴリズムが、単一フィールドの各ラインを二倍にするＢＯＢアルゴリズムを含む、請求項１または２に記載の方法。
【請求項４】
前記ストレージ媒体が光学ストレージ媒体である、請求項１から請求項３のいずれか１項に記載の方法。
【請求項５】
前記光学ストレージ媒体がＣＤ、またはＤＶＤ、またはＨＤ−ＤＶＤである、請求項４に記載の方法。
【請求項６】
前記ストレージ媒体が磁気ストレージ媒体である、請求項１から請求項５のいずれか１項に記載の方法。
【請求項７】
前記磁気ストレージ媒体がハードディスクドライブである、請求項６に記載の方法。
【請求項８】
前記ストレージ媒体がフラッシュメモリである、請求項１から請求項７のいずれか１項に記載の方法。
【請求項９】
前記ユーザー動作中の再生機能が、再生、早送り、巻戻し、停止、一時停止、メニューおよびナビゲーションの機能のうち少なくとも１つの機能を含む、請求項１から請求項８のいずれか１項に記載の方法。
【請求項１０】
前記選択ステップが、ユーザー動作中の再生機能（再生、早送りおよび巻戻し）のうち少なくとも１つの機能のためにＢＯＢデ・インターレーシングを選択する、請求項９に記載の方法。
【請求項１１】
前記選択ステップが、前記ユーザー動作中の再生機能（停止、一時停止、メニューおよびナビゲーション）のうち少なくとも１つの機能のためにＷＥＡＶＥモードのデ・インターレーシングを選択する、請求項９または請求項１０に記載の方法。
【請求項１２】
前記再生装置またはそのリモートコントロールのコントロールボタンの動作に基づいて、現在動作中の再生機能を検出するステップをさらに含む、請求項１から請求項１１のいずれか１項に記載の方法。
【請求項１３】
インターレースされたビデオシーケンスのフィールドをストレージ媒体（５６０）から再生するための再生装置であって、該装置が、
ユーザー動作中の再生機能にしたがって再生を制御するためのコントローラ（５３０）と、
少なくとも２つの異なるデ・インターレーシングアルゴリズムのうちの１つのアルゴリズムを適用するためのデ・インターレーシングユニット（５２０）
を備え、
現在動作中の再生機能にしたがってデ・アルゴリズムを選択するためのセレクタ（５４０）を特徴とする、再生装置。
【請求項１４】
前記デ・インターレーシングアルゴリズムが、２つの連続するフィールドを結合するＷＥＡＶＥモードのアルゴリズムを含む、請求項１３に記載の再生装置。
【請求項１５】
前記デ・インターレーシングアルゴリズムが、単一フィールドの各ラインを２倍にするＢＯＢアルゴリズムを含む、請求項１３または請求項１４に記載の再生装置。
【請求項１６】
前記ストレージ媒体（５６０）が光学ストレージ媒体である、請求項１３から請求項１５のいずれか１項に記載の再生装置。
【請求項１７】
前記再生装置が、ＣＤプレーヤー、またはＤＶＤプレーヤー、またはＨＤ−ＤＶＤプレーヤーである、請求項１６に記載の再生装置。
【請求項１８】
前記ストレージ媒体（５６０）が、磁気ストレージメディアである、請求項１３から請求項１７のいずれか１項に記載の再生装置。
【請求項１９】
前記再生装置がハードディスクビデオレコーダーである、請求項１８に記載の再生装置。
【請求項２０】
前記ストレージ媒体（５６０）がフラッシュメモリである、請求項１３から請求項１９のいずれか１項に記載の再生装置。
【請求項２１】
前記ユーザー動作中の再生機能が、再生、早送り、巻戻し、停止、一時停止、メニューおよびナビゲーションの機能のうち少なくとも１つの機能を含む、請求項１３から請求項２０のいずれか１項に記載の再生装置。
【請求項２２】
前記選択セレクタ（５４０）が、ユーザー動作中の再生機能（再生、早送りおよび巻戻し）のうち少なくとも１つの機能のためにＢＯＢモードのデ・インターレーシングを選択する、請求項２１に記載の再生装置。
【請求項２３】
前記セレクタ（５４０）が、前記ユーザー動作中の再生機能（停止、一時停止、メニューおよびナビゲーション）のうち少なくとも１つの機能のためにＷＥＡＶＥモードのデ・インターレーシングを選択する、請求項２１または請求項２２に記載の再生装置。
【請求項２４】
請求項１３から請求項２３のうちいずれか一項に記載の再生装置と、前記デ・インターレースされた画像を表示するための表示装置（５７０）とを備える車載娯楽システム。
【発明の詳細な説明】
【技術分野】
【０００１】
本発明は、ＤＶＤからのビデオデータのデ・インターレースされた（ｄｅ−ｉｎｔｅｒｌａｃｅｄ）再生に関する。詳細には、本発明は、インターレースされたビデオシーケンスのフィールドを、デ・インターレースされた形式で再生するための方法および装置に関する。
【背景技術】
【０００２】
ＤＶＤがビデオデータのストレージ媒体としてますます広がるにつれ、ＤＶＤプレーヤーはビデオデータを再生するのに幅広い使用がされている。ＤＶＤプレーヤーは、独立型装置の形式で早くから使用されており、大型の娯楽システムに組み込まれている。ビデオデータのほとんどが、多くのサブシーケンスフィールドを構成するインターレースされたビデオシーケンスの形式で、ＤＶＤ上に格納されている。各フィールドは、完全なフレームの約半分のライン数を単に含むだけである。ついで、偶数フィールドと奇数フィールドの連続する対が、完全なフレームへと合成され得る。
【０００３】
ＰＡＬテレビジョン標準にしたがって記録されたビデオシーケンスは、１秒あたり５０フィールドまで作られ、ＮＴＳＣビデオシーケンスは１秒あたり６０フィールドを含む。テレビジョン標準はどちらも、完全な画像のライン数がさらに異なる。ＰＡＬ標準は、各完全な画像を定義して５７５ラインを含む一方、完全なＮＴＳＣ画像は４８０ラインからつくられる。
【０００４】
ほとんどのビデオシーケンスは、インターレース形式でＤＶＤ上に記録される。インターレースされた画像の表示中には、完全な画像のピクセル情報の半分のみが、各フィールドによって提供される。向上した映像品質を用いて再生を達成するためには、ますます多くのＤＶＤプレーヤーは、プログレッシブ形式のインターレースされたビデオデータを出力するように適合する（すなわち、各フィールドを完全なフレームにアップコンバートする）。プログレッシブ画像により、ＰＡＬビデオシーケンスに関しては、５０フィールドではなく１秒あたり５０フレームを表示可能である（ＮＴＳＣビデオシーケンスに関しては、６０フレーム／フィールド）。この目的に対して、ＤＶＤプレーヤーは、プログレッシブスキャン出力端子を備える。
【０００５】
さらなるデータおよびさらに高い解像度を表示可能にするために、デ・インターレーシングがインターレースされたビデオコンテンツをプログレッシブディスプレイフォーマットに変換することを必要とされる。デ・インターレーシングするための２つの最も単純でかつ一般的な方法は、ＷＥＡＶＥおよびＢＯＢである：
・  ＷＥＡＶＥモードのデ・インターレーシングは、２つの連続フィールドを１つのフレームに結合する。
【０００６】
・  ＢＯＢモードのデ・インターレーシングは、ラインを２倍にすることにより単一フィールドから１つのフレームを作る
ＷＥＡＶＥモードおよびＢＯＢモードのデ・インターレーシング技術の異なるアプローチが、図１から図３に示される。図１は、インターレースされたビデオシーケンスの例を示す。代表的な態様では、各フィールドは完全なフレームの半分のラインを含む。デ・インターレーシングの両技術の詳細な利点および不利な点を説明するために、図１のインターレースされたビデオシーケンスは、定位置の三角形と画像コンテンツのように動く円を含む。
【０００７】
ＷＥＡＶＥモードのデ・インターレーシングによって生じる視覚結果が図２に示される。定位置の三角形の垂直解像度は増加する一方、動く物体の形状は、動く物体の２つの異なる運動局面の形状からなる。このようにして、ＷＥＡＶＥモードのデ・インターレーシングでは、運動物体の端におけるアーティファクトをフェザーリングまたはコーミングする。
【０００８】
ＢＯＢモードのデ・インターレーシングの達成結果が、図３において例示される。動いている物体が正しく示されるが、もう一方のフィールドから利用可能であるさらなる画像の詳細はＢＯＢモードの画像中には存在しない。さらに、ＢＯＢモードのデ・インターレーシングは、細い水平ラインにおいてフリッカを生じる。
【０００９】
さらに高度なデ・インターレーシングのアプローチは、ＷＥＡＶＥモードのデ・インターレーシングに対しては動きの補償を使用することによって、およびＢＯＢモードのデ・インターレーシングに対しては単一ラインを２倍にせずにフィルタリングを使用することによって、ＷＥＡＶＥモードのインターレーシングアルゴリズムとＢＯＢモードのインターレーシングアルゴリズムを向上し得る。さらには、ＷＥＡＶＥモードとＢＯＢモードとの間で適合スイッチングが適用され得、現在の画像の画像コンテンツによる各々のデ・インターレーシングを適切に適用し得る。
【００１０】
このような改善されたデ・インターレーシングアプローチの欠点は、画像品質の改善がハードウェアの複合を犠牲にして達成されることである。さらには、動きの決定は、コーミングされたフィールド中に動きが存在しない場合のみ、画像コンテンツを分析し、ＷＥＡＶＥモードのデ・インターレーシングを確実に適用するために必要とされる。
【発明の開示】
【発明が解決しようとする課題】
【００１１】
本発明は、簡単な方法で改善されたデ・インターレーシングを可能にすることを目的とする。したがって、本発明の目的は、ストレージ媒体および対応する再生装置からのインターレースされたビデオシーケンスのフィールドを再生する改善された方法を提供することである。
【課題を解決するための手段】
【００１２】
このことは独立請求項の特徴により達成される。
【００１３】
本発明の第１の局面によれば、ストレージ媒体からのインターレースされたビデオシーケンスのフィールドを再生する方法が提供される。この再生は、ユーザー動作中の再生機能にしたがって制御される。この方法は、少なくとも２つのデ・インターレーシングアルゴリズムのうちの１つのアルゴリズムを適用する。デ・インターレーシングアルゴリズムは、現在動作中の再生機能にしたがって選択される。
【００１４】
本発明のさらなる局面によれば、ストレージ媒体からのインターレースされたビデオシーケンスのフィールドを再生する再生装置が提供される。再生装置は、コントローラ、デ・インターレーシングユニットおよびセレクタを備える。コントローラは、ユーザー動作中の再生機能にしたがって再生を制御する。デ・インターレーシングユニットは、少なくとも２つの異なるデ・インターレーシングアルゴリズムのうちの１つのアルゴリズムを適用する。このセレクタは、現在動作中の再生機能にしたがってデ・インターレーシングアルゴリズムを選択する。
【００１５】
再生装置の動作に基づくデ・インターレーシングアルゴリズムのアプリケーションを制御することは本発明特有のアプローチである。したがって、適切なデ・インターレーシングアルゴリズムのアプリケーションは、改善された映像品質を維持することによって簡単な方法で制御され得、この映像品質は従来から、複雑なハードウェアまたはソフトウェアの構成によってのみ達成可能である。本発明は、画像コンテンツ分析の適用を必要とせずに、適切なデ・インターレーシングアルゴリズムを選択可能にする。したがって、適切なデ・インターレーシングアルゴリズムの選択に従来から必要とされる計算上の労力およびハードウェア上の努力は不必要である。
【００１６】
好ましくは、デ・インターレーシングアルゴリズムのうちの１つのアルゴリズムはＷＥＡＶＥアルゴリズムである。このＷＥＡＶＥアルゴリズムは連続するフィールドをコーミングして、垂直解像度の上がったフレームを提供する。
【００１７】
好ましくは、デ・インターレーシングアルゴリズムは、ＢＯＢモードのアルゴリズムを含む。このＢＯＢモードのアルゴリズムは、単一フィールドの各ラインを二重にする。ＢＯＢモードのアルゴリズムを適用することによって、ライン数は増えるが、動いている物体の動きのフェーズ（特に、物体形状）は維持される。
【００１８】
好ましい実施形態によれば、ストレージ媒体は光学ストレージ媒体であり、詳細には、ＣＤ、ＤＶＤまたは高密度ＤＶＤである。
【００１９】
別の好ましい実施形態によれば、このストレージ媒体は磁気媒体であり、詳細には、ハードディスクドライブであり、またはこのストレージ媒体はフラッシュメモリである。
【００２０】
さらなる代替的な実施形態によれば、再生装置は、任意の種類の上記ストレージ媒体用ビデオデータの再生に適合する。
【００２１】
ユーザー動作中の再生機能は、好ましくは、再生、早送り、巻戻し、停止、一時停止、メニューおよびナビゲーションの機能のうち少なくとも１つの機能を含む。これらの機能は、様々な種類の画像コンテンツの再生に関する。これらの機能の一部はいつも静止画像の再生から開始することに注目することが重要である。結果として、静止画像の再生と確実に関連するこれらの機能は、次のフィールドをコーミングすることにより高映像品質のデ・インターレーシングアルゴリズムと関連付けられ得る。
【００２２】
好ましくは、動いている物体の動きのフェーズを維持するデ・インターレーシングアルゴリズム（詳細には、ＢＯＢモードのデ・インターレーシング）は、再生（ＰＬＡＹ）、早送り（ＦＡＳＴ  ＦＯＲＷＡＲＤ）および巻き戻し（ＲＥＶＥＲＳＥ）の、ユーザー動作中の再生機能に対して選択される。
【００２３】
さらには、ＷＥＡＶＥモードのデ・インターレーシングは、停止（ＳＴＯＰ）、一時停止（ＰＡＵＳＥ）、メニュー（ＭＥＮＵ）およびナビゲーションの、ユーザー動作中の再生機能に対して選択される。これらの再生機能は一般的に、表示装置上のディスプレイに静止画像を提供するのみである。したがって、現在再生中の画像コンテンツを分析せずに、適切なデ・インターレーシングアルゴリズムが効率的な方法で選択される。
【００２４】
本発明の好ましい実施形態は、従属請求項の対象である。
【００２５】
本発明は、さらに以下の手段を提供する。
【００２６】
（項目１）
インターレースされたビデオシーケンスのフィールドをストレージ媒体から再生する方法であって、該再生が、ユーザー動作中の再生機能にしたがって制御され、該方法が、少なくとも２つの異なるデ・インターレーシングアルゴリズムを適用し、
現在動作中の再生機能にしたがって、デ・インターレーシングアルゴリズムを選択するステップを特徴とする、方法。
【００２７】
（項目２）
上記デ・インターレーシングアルゴリズムが、２つの連続したフィールドを結合するＷＥＡＶＥアルゴリズムを含む、項目１に記載の方法。
【００２８】
（項目３）
上記デ・インターレーシングアルゴリズムが、単一フィールドの各ラインを二倍にするＢＯＢアルゴリズムを含む、項目１または２に記載の方法。
【００２９】
（項目４）
上記ストレージ媒体が光学ストレージ媒体である、項目１から項目３のいずれか１項に記載の方法。
【００３０】
（項目５）
上記光学ストレージ媒体がＣＤ、またはＤＶＤ、またはＨＤ−ＤＶＤである、項目４に記載の方法。
【００３１】
（項目６）
上記ストレージ媒体が磁気ストレージ媒体である、項目１から項目５のいずれか１項に記載の方法。
【００３２】
（項目７）
上記磁気ストレージ媒体がハードディスクドライブである、項目６に記載の方法。
【００３３】
（項目８）
上記ストレージ媒体がフラッシュメモリである、項目１から項目７のいずれか１項に記載の方法。
【００３４】
（項目９）
上記ユーザー動作中の再生機能が、再生、早送り、巻戻し、停止、一時停止、メニューおよびナビゲーションの機能のうち少なくとも１つの機能を含む、項目１から項目８のいずれか１項に記載の方法。
【００３５】
（項目１０）
上記選択ステップが、ユーザー動作中の再生機能（再生、早送りおよび巻戻し）のうち少なくとも１つの機能のためにＢＯＢデ・インターレーシングを選択する、項目９に記載の方法。
【００３６】
（項目１１）
上記選択ステップが、上記ユーザー動作中の再生機能（停止、一時停止、メニューおよびナビゲーション）のうち少なくとも１つの機能のためにＷＥＡＶＥモードのデ・インターレーシングを選択する、項目９または項目１０に記載の方法。
【００３７】
（項目１２）
上記再生装置またはそのリモートコントロールのコントロールボタンの動作に基づいて、現在動作中の再生機能を検出するステップをさらに含む、項目１から項目１１のいずれか１項に記載の方法。
【００３８】
（項目１３）
インターレースされたビデオシーケンスのフィールドをストレージ媒体（５６０）から再生するための再生装置であって、該装置が、
ユーザー動作中の再生機能にしたがって再生を制御するためのコントローラ（５３０）と、
少なくとも２つの異なるデ・インターレーシングアルゴリズムのうちの１つのアルゴリズムを適用するためのデ・インターレーシングユニット（５２０）
を備え、
現在動作中の再生機能にしたがってデ・アルゴリズムを選択するためのセレクタ（５４０）を特徴とする、再生装置。
【００３９】
（項目１４）
上記デ・インターレーシングアルゴリズムが、２つの連続するフィールドを結合するＷＥＡＶＥモードのアルゴリズムを含む、項目１３に記載の再生装置。
【００４０】
（項目１５）
上記デ・インターレーシングアルゴリズムが、単一フィールドの各ラインを２倍にするＢＯＢアルゴリズムを含む、項目１３または項目１４に記載の再生装置。
【００４１】
（項目１６）
上記ストレージ媒体（５６０）が光学ストレージ媒体である、項目１３から項目１５のいずれか１項に記載の再生装置。
【００４２】
（項目１７）
上記再生装置が、ＣＤプレーヤー、またはＤＶＤプレーヤー、またはＨＤ−ＤＶＤプレーヤーである、項目１６に記載の再生装置。
【００４３】
（項目１８）
上記ストレージ媒体（５６０）が、磁気ストレージメディアである、項目１３から項目１７のいずれか１項に記載の再生装置。
【００４４】
（項目１９）
上記再生装置がハードディスクビデオレコーダーである、項目１８に記載の再生装置。
【００４５】
（項目２０）
上記ストレージ媒体（５６０）がフラッシュメモリである、項目１３から項目１９のいずれか１項に記載の再生装置。
【００４６】
（項目２１）
上記ユーザー動作中の再生機能が、再生、早送り、巻戻し、停止、一時停止、メニューおよびナビゲーションの機能のうち少なくとも１つの機能を含む、項目１３から項目２０のいずれか１項に記載の再生装置。
【００４７】
（項目２２）
上記選択セレクタ（５４０）が、ユーザー動作中の再生機能（再生、早送りおよび巻戻し）のうち少なくとも１つの機能のためにＢＯＢモードのデ・インターレーシングを選択する、項目２１に記載の再生装置。
【００４８】
（項目２３）
上記セレクタ（５４０）が、上記ユーザー動作中の再生機能（停止、一時停止、メニューおよびナビゲーション）のうち少なくとも１つの機能のためにＷＥＡＶＥモードのデ・インターレーシングを選択する、項目２１または項目２２に記載の再生装置。
【００４９】
（項目２４）
項目１３から項目２３のうちいずれか一項に記載の再生装置と、上記デ・インターレースされた画像を表示するための表示装置（５７０）とを備える車載娯楽システム。
【００５０】
本発明の他の実施形態および利点は、次の好ましい実施形態の記載から明確になる。
【発明を実施するための最良の形態】
【００５１】
本発明は、ＤＶＤプレーヤーのような装置で実施されることが好ましく、この装置は光学ストレージ媒体または磁気ストレージ媒体からのインターレースされたビデオデータを再生する。ＤＶＤプレーヤーの正面図は、図４の例を通して示される。ＤＶＤプレーヤー１００のハウジング１１０は、その正面側に移動可能なトレイ１２０を備え、そのトレイはそのプレーヤーにディスクをロードするためのものである。フロントパネル制御１４１〜１４６（任意種類の可能なコントロールボタンの例としてのみ図示される）は、ユーザー動作に基づく特定の動作機能を開始する。詳細な動作情報は、ディスプレイ１３０中に表示され得る。
【００５２】
ＤＶＤプレーヤー１００の動作機能が、リモートコントロール（示されず）によって動作することが好ましいことに注目されたい。このようなリモートコントロールは一般的に、ＤＶＤプレーヤーの動作を制御するためのさらなる機能を提供する。以下の記載は主に、図４中に図示されるようなＤＶＤプレーヤーについて言及するが、当業者は、リモートコントロールを使用することによっても、記載された機能が開始され得ることを承知している。
【００５３】
フロントパネル制御１４１〜１４６は、再生ボタン１４１、一時停止ボタン１４２、停止ボタン１４３、早送りボタン１４４および巻戻しボタン１４５を備える。ボタン１４６は、他の機能を備えるさらなるボタンが、ＤＶＤプレーヤーのフロントパネル上にさらに提供され得ることを示す。
【００５４】
ビデオコンテンツの再生は、再生ボタン１４１を動作することによって開始され得る。再生ボタン１４１の動作は、再生を開始することがいつも必要されるわけではない。ほとんどのＤＶＤプレーヤーは、ＣＤまたはＤＶＤが挿入される場合に自動的に再生を始める。特定の項目を選択するメニューを表示することによって、タイトルが始まり、詳細には、映画を再生し、または吹き替えを同様に開始する。
【００５５】
一時停止ボタン１４２を押すことによって、再生が一時停止される。再生が再開するためには、再生ボタン１４１または一時停止ボタン１４２を再び動作する。再生は、停止ボタン１４３を動作させることによって停止される。
【００５６】
高速再生ボタン１４２、１４５は、早送り再生かまたは巻戻し再生を動作させる。個々の実施に依存して、様々な早送り再生速度は、高速再生ボタンを繰り返し押すことによって切り替えられ得る。
【００５７】
好ましくは、さらなる制御ボタンがリモートコントロール上にのみ提供され得る。このようなさらなるボタンは、ＤＶＤナビゲーション機能に関係し得、例えば、そのボタンはカーソルパッドまたはナビゲーションボタン、およびメニューボタンまたはメインメニューボタンである。詳しくは、メニューボタンが動作すると、ＤＶＤの再生はすぐに、ＤＶＤのディスクメニューへ戻る。個々のナビゲーションボタンの使用が、各ディスクに特有であり、各タイトルに対して変え得るナビゲーションメニューに依存することに注目されたい。典型的には、ナビゲーションメニューは、チャプター、言語および例えばトレイラまたは文書のような、ビューエキストラものを選択する機能を提供する。いったんメニューがアクセスされたら、カーソルパッドまたはナビゲーションボタンの使用により、メニューを移動し、そこから個々のアイテムを選択することが可能になる。
【００５８】
ＤＶＤプレーヤー１００は、表示装置上のディスプレイのプログレッシブスキャン端子（示されず）にデ・インターレースされた画像データを出力する。代替的には、ＤＶＤプレーヤーは、より大型の娯楽システム（例えば、車載娯楽システム）の一部分であり得、デ・インターレースビデオデータはディスプレイの画面に内部で適用される。
【００５９】
ビデオデータ再生装置（具体的には、ＤＶＤプレーヤー）の構成例は、図８中にブロック図形式で示される。再生装置５００は、ビデオデータストレージ媒体５６０、画像プロセッサ５１０およびデ・インターレーシングユニット５２０を備える。デ・インターレーシングユニット５２０からのビデオデータ出力は、再生システムの表示装置５７０に与えられる。
【００６０】
画像処理（具体的には、画像プロセッサ５１０によって達成される再生の動作）を制御するために、フロントパネル５５０が提供される。図４に関連してすでに記載されるように、このようなフロントパネルは、特定の動作機能を開始するためのフロントパネル制御を備える。図８には図示されないが、フロントパネル５５０は、対応する制御動作を提供する遠隔制御によって置換され得るか、または補充され得る。
【００６１】
ユーザー動作中のフロントパネル制御により、コントローラ５３０は、画像プロセッサ５１０に各々のコマンドを供給することで各々の処理動作を開始する。それにしたがって、画像プロセッサは、例えば、通常の再生速度か、または増加した再生速度で、再生されるべきストレージ媒体５６０からのビデオデータの読込みを開始する。
【００６２】
従来では、デ・インターレーシングユニット５２０は、単一のデ・インターレーシングアルゴリズムを適用するか、代替的には、ビデオデータを伴う追加情報による適切なデ・インターレーシングアルゴリズムを選択する。動きのベクトルは、例えば、デ・インターレーシングアルゴリズムの選択にあるこのような追加情報を表す。
【００６３】
本発明によれば、適切なデ・インターレーシングアルゴリズムの選択は、画像データまたは画像データ付随の情報に依存しない。対照的に、本発明のセレクタ５４０は、コントローラ５３０に接続され、鑑賞者が選択した動作機能を得る。現在選択された動作機能にしたがって、適切なデ・インターレーシングアルゴリズムが選択され、デ・インターレーシングユニット５２０はこれに対応して命令される。図８には示されないが、セレクタ５４０は、コントローラ５３０に接続される必要はないが、代替的には、ユーザーが選択した動作機能を得るようにフロントパネル５５０に直接接続され得る。
【００６４】
本発明によれば、このデ・インターレーシングは、現在の再生動作により制御される。本発明の動作を示すフローチャートは図５中に表される。
【００６５】
ＤＶＤプレーヤー１００により実行される現在の再生動作は、ステップ２１０において検出される。この目的のために、ＤＶＤプレーヤー１００の動作は、継続的にモニタリングされ、各検出信号を提供する。検出された再生動作は、ステップ２２０において、前に格納されたＤＶＤプレーヤー１００の再生動作リストと比較される。このリストは、ＤＶＤプレーヤー内のメモリ中に前もって格納された可能な再生動作を含み、この各動作はデ・インターレーシングアルゴリズムと関連付けられる。検出された現在の再生動作にしたがい、ステップ２３０において、各々のデ・インターレーシングアルゴリズムが選択される。
【００６６】
選択されたデ・インターレーシングアルゴリズムにしたがって、現在のビデオ信号が処理され（ステップ２４０）、表示装置上のディスプレイへ出力される。
【００６７】
デ・インターレーシングアルゴリズムは、好ましくは、ＢＯＢモードのデ・インターレーシングとＷＥＡＶＥモードのデ・インターレーシングを含む。本発明がこれら２つのデ・インターレーシングアルゴリズムに制限されないことに注目されたい。当業者は、複数の変形物または他のインターレーシングアルゴリズムが存在し、このアルゴリズムはそれに応じて提供され、選択され得ることを承知している。
【００６８】
２つのデ・インターレーシングアルゴリズムのみが使用される場合、本発明は、代替的には、これら２つのデ・インターレースされたアルゴリズムのうちの１つのアルゴリズムが、デフォルトのデ・インターレーシングアルゴリズムとして設定されるように構成され得る。したがって、これらの動作機能が前もって格納され、モニタリングされることを必要とし、他のデ・インターレーシングアルゴリズムを適用する結果となる。
【００６９】
本発明による再生装置は、車載娯楽システム中にビルトインでもあり得る。乗用車は、車内の娯楽システム（具体的には、娯楽システムおよび情報システム）を備えていることが多くなっている。このような、娯楽システムは、通信ネットワークに接続された複数の別々の構成要素からなる。
【００７０】
車載娯楽システムを備える車両は、図６中に示される。このようなモバイルエンターテイメントシステムの様々な構成要素は分散され、車両３００内に離れて配置される。ＤＶＤプレーヤーを含む処理ハードウェアは、車両の後部座席側または運転席付近に搭載されることが好ましいが、ビデオデータ再生用の表示装置３３０、３４０は、車両のダッシュボード上に搭載され、後部座席の乗客に対する前部座席または前部座席間に搭載される。
【００７１】
車載娯楽システムの一般的な構成が、ブロックダイアグラム形式で図７に示される。車載娯楽システムのすべての構成要素４１０〜４４０は、通信リンク４００によって相互接続される。詳細には、ＤＶＤプレーヤー４２０および／またはテレビ受信機４１０は、ビデオデータを再生するための表示装置４４０へ、通信リング４００を通してビデオデータを伝送する。
【００７２】
通信リンク４００は、複数の娯楽構成要素４１０、４２０、４３０、４４０を相互接続するために、車載通信ネットワークであることが好ましい。この通信リンクは、ＭＯＳＴ標準にしたがって実施されることが好ましい。
【００７３】
まとめると、本発明は、ストレージ媒体からの高画像品質のビデオデータの再生に関する。この目的のために、インターレースされたビデオデータは、デ・インターレーシング処理に影響を受けやすい。異なるデ・インターレーシングアルゴリズムの間で適応して切り替えるための画像コンテンツ分析を避けるために、本発明は、再生装置の現在動作中の動作機能をモニタリングし、それに応じて適用されたデ・インターレーシングアルゴリズムを選択する。その結果、インターレースされた高画像品質のビデオデータのビデオ再生は、単純かつ効率的な態様で達成される。
【図面の簡単な説明】
【００７４】
【図１】インターレースされたビデオシーケンスの４つのフィールドを図示する。
【図２】ＷＥＡＶＥアルゴリズムを適用することによってデ・インターレースされたデ・インターレース画像を図示する。
【図３】ＢＯＢモードのデ・インターレーシングを適用することによってデ・インターレースされたビデオシーケンスを図示する。
【図４】多くのフロントパネルコントローラを備えるＤＶＤプレーヤーのハウジングの正面図を示す。
【図５】本発明により、適切なデ・インターレーシングアルゴリズムを選択する方法のフローチャートである。
【図６】車中における車載娯楽システムの配置を図示する。
【図７】通信ネットワークに接続された車載娯楽システムのブロック図形式の構成要素を示す。
【図８】本発明にしたがったブロック図形式のビデオ再生装置を示す。
【符号の説明】
【００７５】
１００  ＤＶＤプレーヤー
１４１  再生ボタン
１４２  一時停止ボタン
１４３  停止ボタン
１４４  早送りボタン
１４５  巻戻しボタン
５１０  画像プロセッサ
５２０  デ・インターレーシングユニット
５３０  コントローラ
５４０  セレクタ
５５０  フロントパネル
５６０  ストレージ媒体
５７０  表示装置
【図１】
2006166431.tif 000003
【図２】
2006166431.tif 000004
【図３】
2006166431.tif 000005
【図４】
2006166431.tif 000006
【図５】
2006166431.tif 000007
【図６】
2006166431.tif 000008
【図７】
2006166431.tif 000009
【図８】
2006166431.tif 000010